(57)【要約】【課題】条件に合致する施設を、経由地として選択できるようにすること。【解決手段】情報処理装置は、ユーザにより指定された出発地、及び目的地を取得する取得部と、前記出発地から前記目的地までの所定範囲内に存在する施設のうち、前記出発地から前記目的地までに経由する１以上の施設を、所定の検索条件に基づき検索する施設検索部と、前記施設検索部により検索された１以上の施設を経由地とする前記出発地から前記目的地までの経路を検索する経路検索部と、を有する。【選択図】図４
2019070530.tif 000002
【特許請求の範囲】
【請求項１】
ユーザにより指定された出発地、及び目的地を取得する取得部と、
前記出発地から前記目的地までの所定範囲内に存在する施設のうち、前記出発地から前記目的地までに経由する１以上の施設を、所定の検索条件に基づき検索する施設検索部と、
前記施設検索部により検索された１以上の施設を経由地とする前記出発地から前記目的地までの経路を検索する経路検索部と、
を有する情報処理装置。
【請求項２】
前記経路検索部は、前記施設検索部により検索された１以上の施設のうち、前記ユーザにより選択された施設を経由地とする前記出発地から前記目的地までの経路を検索する、
請求項１に記載の情報処理装置。
【請求項３】
前記施設検索部は、各施設に対する到着予想日時における各施設の位置に対して予想される天候と、各施設に対して設定された推奨の天候とに基づいて、前記出発地から前記目的地までに経由する１以上の施設を検索する、
請求項１または２に記載の情報処理装置。
【請求項４】
前記施設検索部は、前記ユーザの車両の種別と、各施設の車両に関する付帯情報とに基づいて、前記出発地から前記目的地までに経由する１以上の施設を検索する、
請求項１乃至３のいずれか一項に記載の情報処理装置。
【請求項５】
前記施設検索部は、前記ユーザの属性に基づいて、前記出発地から前記目的地までに経由する１以上の施設を検索する、
請求項１乃至４のいずれか一項に記載の情報処理装置。
【請求項６】
前記施設検索部は、前記ユーザにより指定された出発日時と、各施設に対して設定された推奨の時期、または各施設の営業日時とに基づいて、前記出発地から前記目的地までに経由する１以上の施設を検索する、
請求項１乃至５のいずれか一項に記載の情報処理装置。
【請求項７】
検索対象となる所定の施設のうち、前記出発日時または当該施設への到着予想日時において利用可能でない施設に、警告表示を付加して表示させる表示制御部を有する、
請求項６に記載の情報処理装置。
【請求項８】
前記取得部は、前記ユーザ以外のユーザにより共有された、前記出発地から前記目的地までの経路と、当該経路上の経由地とを取得し、
前記経路検索部は、当該経由地の施設が、前記出発日時または当該施設への到着予想日時において利用可能でない場合、当該施設を経由しない経路を検索する、
請求項６または７に記載の情報処理装置。
【請求項９】
情報処理装置が、
ユーザにより指定された出発地、及び目的地を取得するステップと、
前記出発地から前記目的地までの所定範囲内に存在する施設のうち、前記出発地から前記目的地までに経由する１以上の施設を、所定の検索条件に基づき検索するステップと、
検索された１以上の施設を経由地とする前記出発地から前記目的地までの経路を検索するステップと、
を実行する情報処理方法。
【請求項１０】
情報処理装置に、
ユーザにより指定された出発地、及び目的地を取得するステップと、
前記出発地から前記目的地までの所定範囲内に存在する施設のうち、前記出発地から前記目的地までに経由する１以上の施設を、所定の検索条件に基づき検索するステップと、
検索された１以上の施設を経由地とする前記出発地から前記目的地までの経路を検索するステップと、
を実行させるプログラム。
【発明の詳細な説明】
【技術分野】
【０００１】
本発明は、情報処理装置、情報処理方法、及びプログラムに関する。
【背景技術】
【０００２】
従来、混雑情報等の各種条件に応じて、出発地から目的地までの経路を検索する技術が知られている（例えば、特許文献１−３を参照）。
【先行技術文献】
【特許文献】
【０００３】
【特許文献１】特開２００８−２７３２７５号公報
【特許文献２】特開２０１２−１８５１８１号公報
【特許文献３】特開２０１３−１９５１３１号公報
【発明の概要】
【発明が解決しようとする課題】
【０００４】
しかしながら、従来技術では、出発地から目的地までの間に立ち寄ることができる、レジャースポットや店舗等の施設を検索することについては考慮されていない。
【０００５】
本発明は、上記の点に鑑みてなされたものであって、条件に合致する施設を、経由地として選択することができる技術を提供することを目的とする。
【課題を解決するための手段】
【０００６】
発明の実施形態の情報処理装置は、ユーザにより指定された出発地、及び目的地を取得する取得部と、前記出発地から前記目的地までの所定範囲内に存在する施設のうち、前記出発地から前記目的地までに経由する１以上の施設を、所定の検索条件に基づき検索する施設検索部と、前記施設検索部により検索された１以上の施設を経由地とする前記出発地から前記目的地までの経路を検索する経路検索部と、を有する。
【０００７】
このため、所定の条件に基づいて検索した施設を経由地とする経路を検索することができる。したがって、条件に合致する施設を、経由地として選択することができる。
【０００８】
本発明の他の実施形態の情報処理装置では、前記経路検索部は、前記施設検索部により検索された１以上の施設のうち、前記ユーザにより選択された施設を経由地とする前記出発地から前記目的地までの経路を検索する。
【０００９】
このため、所定の条件に基づいて検索した施設のうち、ユーザにより選択された施設を経由地とする経路を検索することができる。したがって、ユーザは、条件に合致する施設から、経由地とする所望の施設を選択することができる。
【００１０】
本発明の他の実施形態の情報処理装置では、前記施設検索部は、前記ユーザにより指定された出発日時と、各施設に対して設定された推奨の時期、または各施設の営業日時とに基づいて、前記出発地から前記目的地までに経由する１以上の施設を検索する。
【００１１】
このため、ユーザにより指定された出発日時と、各施設に対して設定された推奨の時期とに基づいて、または当該出発日時と各施設の営業日時とに基づいて、経由地とする経路を検索することができる。したがって、例えば、出発日時の時期において推奨されるレジャースポット等や、到着予想日時において営業している店舗等を、経由地として選択することができる。
【００１２】
本発明の他の実施形態の情報処理装置では、前記施設検索部は、各施設に対する到着予想日時における各施設の位置に対して予想される天候と、各施設に対して設定された推奨の天候とに基づいて、前記出発地から前記目的地までに経由する１以上の施設を検索する。
【００１３】
このため、天候の条件に基づいて検索した施設を経由地とする経路を検索することができる。したがって、例えば、雨天が予想される日時においては、雨天でも利用可能な施設等を、経由地として選択することができる。
【００１４】
本発明の他の実施形態の情報処理装置では、前記ユーザの車両の種別と、各施設の車両に関する付帯情報とに基づいて、前記出発地から前記目的地までに経由する１以上の施設を検索する。
【００１５】
このため、例えば、ユーザの車両と、各施設における駐車スペースの幅、または各施設に到着するまでに前記車両にて走行する道路の幅員に基づいて検索した施設を経由地とする経路を検索することができる。したがって、例えば、ユーザの車両が大型車両である場合に、大型車両用の駐車スペースを有する施設、または大型車両にて走行できる道路の幅員を有する施設を、経由地として選択することができる。
【００１６】
本発明の他の実施形態の情報処理装置では、前記施設検索部は、前記ユーザの属性に基づいて、前記出発地から前記目的地までに経由する１以上の施設を検索する。
【００１７】
このため、ユーザの属性に基づいて検索した施設を経由地とする経路を検索することができる。したがって、例えば、ユーザが家族連れである場合に、家族連れに人気のある施設等を、経由地として選択することができる。
【００１８】
本発明の他の実施形態の情報処理装置では、検索対象となる所定の施設のうち、前記出発日時または当該施設への到着予想日時において利用可能でない施設に、警告表示を付加して表示させる表示制御部を有する。
【００１９】
このため、検索対象となる所定の施設のうち、出発日時または当該施設への到着予想日時において利用可能でない施設に、警告表示を付加して表示させる。したがって、例えば、ユーザが所望の施設が利用可能でない場合、利用可能でない旨をユーザに表示することができる。
【００２０】
本発明の他の実施形態の情報処理装置では、前記取得部は、前記ユーザ以外のユーザにより共有された、前記出発地から前記目的地までの経路と、当該経路上の経由地とを取得し、前記経路検索部は、当該経由地の施設が、前記出発日時または当該施設への到着予想日時において利用可能でない場合、当該施設を経由しない経路を検索する。
【００２１】
このため、共有された経路情報を利用する場合、当該経路情報に含まれる経由地の施設が利用可能でない場合、当該施設を経由しない経路を検索する。したがって、共有された経路情報を、より適切な経路情報に変更することができる。
【００２２】
また、他の実施形態は、情報処理方法、及びプログラムにより実現される。
【発明の効果】
【００２３】
条件に合致する施設を、経由地として選択できる。
【図面の簡単な説明】
【００２４】
【図１】実施形態に係る通信システムの構成例を示す図である。
【図２】実施形態に係るサーバのハードウェア構成例を示す図である。
【図３】実施形態に係る端末、及びサーバの機能ブロック図の一例を示す図である。
【図４】実施形態に係る通信システムの処理の一例を示すシーケンス図である。
【図５】共有元の端末の表示画面の例について説明する図である。
【図６】実施形態に係る通信システム１の処理の一例を示すシーケンス図である。
【図７】実施形態に係る通信システム１の処理の一例を示すシーケンス図である。
【図８】実施形態に係るサーバの施設検索処理の一例を示すフローチャートである。
【図９】施設データの一例を示す図である。
【発明を実施するための形態】
【００２５】
以下、図面に基づいて本発明の実施形態を説明する。
【００２６】
＜システム構成＞
図１は、実施形態に係る通信システム１の構成例を示す図である。図１において、通信システム１は、端末１０−１、１０−２（以下で、それぞれを区別する必要がない場合は、単に「端末１０」と称する。）、サーバ２０、ＳＮＳサーバ３０、及びコンテンツ提供サーバ４０を有する。なお、端末１０の数は２つに限定されない。
【００２７】
端末１０とサーバ２０、及び端末１０とＳＮＳサーバ３０は、例えば、インターネット、携帯電話網、無線ＬＡＮ（Local Area Network）、またはＬＡＮ等のネットワーク５０により、通信可能な状態で接続されている。また、サーバ２０とコンテンツ提供サーバ４０は、ネットワーク５０により、通信可能な状態で接続されている。
【００２８】
端末１０は、例えば、スマートフォン、タブレットＰＣ（Personal Computer）、ノートＰＣ、またはナビゲーション装置等の情報処理装置（コンピュータ）である。
【００２９】
端末１０は、経路案内（ナビゲーション）用のアプリケーションにより、サーバ２０から地図や経路のデータを取得し、車両、徒歩、電車等を用いた移動のナビゲーションを行う。また、端末１０は、ユーザの操作により、当該ナビゲーションを用いてユーザが移動した経路、当該ナビゲーションを用いてユーザが移動中の経路、または当該ナビゲーションを用いてユーザが移動予定の経路の情報（経路情報）を、サーバ２０に送信（アップロード）する。経路情報には、例えば、出発地から目的地までの移動経路等の情報が含まれる。また、経路情報には、経由地、出発時刻、到着時刻、及び経路上の位置に関連付けられたピン、コメント、画像等が含まれてもよい。
【００３０】
また、端末１０は、ＳＮＳサーバ３０が提供するソーシャル・ネットワーキング・サービス（Social Networking Service、SNS）を用いて、友人等のグループ間で、チャットや、画像共有等を行う。
【００３１】
サーバ２０は、例えば、サーバ用の情報処理装置であり、ナビゲーション等のサービスを端末１０に提供する。また、サーバ２０は、時期（季節）、営業日時（利用可能日時）、天候等の条件に応じた経由地を選択し、選択した経由地の情報を端末１０に提供する。
【００３２】
また、サーバ２０は、端末１０からアップロードされた経路情報を、ＳＮＳサーバ３０を介して、他の端末１０のユーザと共有する。なお、サーバ２０は、ＳＮＳサーバ３０を介さずに、端末１０からアップロードされた経路情報を、他の端末１０のユーザと共有してもよい。
【００３３】
ＳＮＳサーバ３０は、例えば、サーバ用の情報処理装置であり、グループチャット等のソーシャル・ネットワーキング・サービスを端末１０に提供する。また、ＳＮＳサーバ３０は、端末１０からサーバ２０を介してアップロードされた経路情報を、ソーシャル・ネットワーキング・サービスを用いて他の端末１０に送信する。なお、ＳＮＳサーバ３０は、当該経路情報を、ＳＮＳ、ブログ、画像共有サイト等を含むソーシャルメディアを用いて、他の端末１０に送信してもよい。
【００３４】
コンテンツ提供サーバ４０は、例えば、サーバ用の情報処理装置であり、施設の営業時間等のデータをサーバ２０に提供する。
【００３５】
＜ハードウェア構成＞
図２は、実施形態に係るサーバ２０のハードウェア構成例を示す図である。図２のサーバ２０は、それぞれバスＢで相互に接続されているドライブ装置１００、補助記憶装置１０２、メモリ装置１０３、ＣＰＵ１０４、インタフェース装置１０５等を有する。
【００３６】
サーバ２０での処理を実現する情報処理プログラムは、例えば、記録媒体１０１によって提供される。情報処理プログラムを記録した記録媒体１０１がドライブ装置１００にセットされると、情報処理プログラムが記録媒体１０１からドライブ装置１００を介して補助記憶装置１０２にインストールされる。但し、情報処理プログラムのインストールは必ずしも記録媒体１０１より行う必要はなく、ネットワークを介して他のコンピュータよりダウンロードするようにしてもよい。補助記憶装置１０２は、インストールされた情報処理プログラムを格納すると共に、必要なファイルやデータ等を格納する。
【００３７】
メモリ装置１０３は、例えば、ＲＡＭ（Random access memory）であり、プログラムの起動指示があった場合に、補助記憶装置１０２からプログラムを読み出して格納する。ＣＰＵ１０４は、メモリ装置１０３に格納されたプログラムに従ってサーバ２０に係る機能を実現する。インタフェース装置１０５は、ネットワークに接続するためのインタフェースとして用いられる。
【００３８】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００３９】
なお、端末１０、ＳＮＳサーバ３０、及びコンテンツ提供サーバ４０のハードウェア構成は、サーバ２０と同様でもよい。
【００４０】
＜機能構成＞
次に、図３を参照し、実施形態に係る端末１０、及びサーバ２０の機能構成について説明する。図３は、実施形態に係る端末１０、及びサーバ２０の機能ブロック図の一例を示す図である。
【００４１】
≪サーバ２０≫
サーバ２０は、記憶部２１を有する。記憶部２１は、例えば、補助記憶装置等を用いて実現される。記憶部２１は、施設データ２１１、及びユーザデータ２１２等を記憶する。施設データ２１１、及びユーザデータ２１２に記憶されるデータについては後述する。
【００４２】
サーバ２０は、取得部２２、施設検索部２３、経路検索部２４、表示制御部２５、共有部２６、及び通信部２７を有する。取得部２２、施設検索部２３、経路検索部２４、表示制御部２５、共有部２６、及び通信部２７は、サーバ２０にインストールされた１以上のプログラムが、サーバ２０のＣＰＵに実行させる処理により実現される機能を表す。
【００４３】
取得部２２は、端末１０のユーザにより指定された出発地、及び目的地等の情報を端末１０から取得する。ここで、ユーザにより指定された出発地には、ユーザの操作により指定された出発地、またはユーザが経路の検索操作を行った際等に端末１０のＧＰＳ（Global Positioning System）により自動で取得された現在地等が含まれる。
【００４４】
施設検索部２３は、出発地から目的地までの所定範囲内に存在する施設のうち、出発地から目的地までに経由する１以上の施設を、所定の検索条件に基づき検索する。ここで、所定範囲内は、例えば、経由した場合でも目的地までの移動時間が大幅に遅延しない（移動時間の増加量が所定の閾値以下である）範囲内、または出発地から目的地までの移動距離が大幅に増えない（移動距離の増加量が所定の閾値以下である）範囲内である。
【００４５】
また、施設検索部２３は、移動時間の増加量、及び移動距離の増加量の両方を総合的に考慮して、当該所定範囲を決定してもよい。当該所定範囲内として、移動時間の増加量、及び移動距離の増加量をどの程度許容するかの閾値は、予め設定されていてもよいし、経由地を設定しない場合の出発地から目的地までの移動時間または移動距離に対する所定の割合（例えば、１０％以内）等のように施設検索部２３により算出されてもよい。つまり、乗り手が「実際上経由することはありえない」と感じない程度の増加量の範囲内であればよい。
【００４６】
経路検索部２４は、施設検索部２３により検索された１以上の施設を経由地とする出発地から目的地までの経路を検索する。
【００４７】
表示制御部２５は、施設検索部２３、及び経路検索部２４により検索された情報を、端末１０に表示させる。また、表示制御部２５は、出発日時または施設への到着予想日時において利用可能でない施設に、警告表示を付加して端末１０に表示させてもよい。
【００４８】
共有部２６は、端末１０のユーザの経路情報を、他のユーザと共有可能とする。共有部２６は、例えば、ＳＮＳサーバ３０により提供されるソーシャル・ネットワーキング・サービスを用いて、当該経路情報を他のユーザに共有させる。
【００４９】
通信部２７は、端末１０、ＳＮＳサーバ３０、及びコンテンツ提供サーバ４０との通信を行う。通信部２７は、経路検索要求、及び経路共有要求等を端末１０から受信する。また、通信部２７は、共有部２６からの指示に従い、経路情報をＳＮＳサーバ３０に送信する。
【００５０】
≪端末１０≫
端末１０は、受付部１１、経路案内部１２、経路情報共有部１３、ＳＮＳ利用部１４、及び通信部１５を有する。これら各部は、端末１０にインストールされた１以上のプログラムが、端末１０のＣＰＵ１０４に実行させる処理により実現される機能を表す。
【００５１】
受付部１１は、ユーザからの入力操作を受け付ける。受付部１１は、例えば、経路情報を検索する際に、出発地、経由地、及び目的地等の入力を受け付ける。
【００５２】
経路案内部１２は、サーバ２０から受信した経路情報を用いて、経路案内を行う。経路案内部１２は、例えば、車両用の経路案内をしてもよいし、徒歩用の経路案内をしてもよい。
【００５３】
経路情報共有部１３は、サーバ２０を用いて、端末１０のユーザが利用した経路情報を他の端末１０と共用する。経路情報共有部１３は、例えば、サーバ２０またはＳＮＳサーバ３０から経路情報を取得する。また、経路情報共有部１３は、例えば、サーバ２０に、経路情報をアップロードする。
【００５４】
ＳＮＳ利用部１４は、ＳＮＳサーバ３０を用いて、他の端末１０のユーザを含むグループ間で、チャットや画像共有等を行う。また、ＳＮＳ利用部１４は、ＳＮＳにより共有された経路情報の画像がユーザに選択されると、経路情報共有部１３により、選択された経路情報を編集できるようにする。
【００５５】
通信部１５は、サーバ２０、及びＳＮＳサーバ３０との通信を行う。通信部１５は、例えば、経路検索要求、及び経路共有要求等をサーバ２０に送信する。
【００５６】
＜処理＞
次に、図４、及び図５を参照して、実施形態に係る通信システム１の処理について説明する。図４は、実施形態に係る通信システム１の処理の一例を示すシーケンス図である。図５は、共有元の端末１０−１の表示画面の例について説明する図である。
【００５７】
ステップＳ１において、経路情報の共有元のユーザの端末１０−１の受付部１１は、目的地、出発地、及び出発日時等の設定をユーザから受け付ける。ここで、出発日時を設定できるようにすることで、例えば、週末等のドライブプランを、平日等に作成しておくことができる。
【００５８】
なお、端末１０−１の受付部１１は、１以上の経由地の設定を受け付けてもよい。また、ユーザから出発地の指定を受けなかった場合、端末１０の現在位置、または予め設定された位置を出発地としてもよい。また、ユーザから出発日時の指定を受けなかった場合、現在日時、または予め設定された日時を出発日時としてもよい。
【００５９】
続いて、端末１０−１の経路案内部１２は、目的地等の設定データを含む経路検索要求をサーバ２０に送信する（ステップＳ２）。これにより、サーバ２０の取得部２２により、目的地、出発地、及び出発日時等の設定データが取得される。
【００６０】
続いて、サーバ２０の施設検索部２３は、出発地から目的地までの間に経由できる１以上のお勧めの施設を検索し（ステップＳ３）、検索した１以上の施設の情報を端末１０−１に送信する（ステップＳ４）。ここで、施設の情報には、当該施設の営業日時、当該施設の紹介文、及び当該施設のＷｅｂサイトのＵＲＬ（Uniform Resource Locator）等が含まれてもよい。
【００６１】
続いて、端末１０−１の経路案内部１２は、サーバ２０から受信した各施設の情報を表示する（ステップＳ５）。続いて、端末１０−１の受付部１１は、当該各施設のうち、経由する１以上の施設を選択する操作をユーザから受け付ける（ステップＳ６）。続いて、端末１０−１の経路案内部１２は、選択された１以上の施設のデータを含む経由地設定要求をサーバ２０に送信する（ステップＳ７）。
【００６２】
続いて、サーバ２０の経路検索部２４は、ユーザにより選択された１以上の施設を経由する、出発地から目的地までの経路（移動経路、ルート）を検索し（ステップＳ８）、検索した経路のデータを端末１０−１に送信する（ステップＳ９）。
【００６３】
続いて、端末１０−１の経路案内部１２は、サーバ２０から受信した経路を表示する（ステップＳ１０）。続いて、端末１０−１の経路情報共有部１３は、共有する経路情報、及び当該経路情報を共有するユーザの範囲を指定する操作をユーザから受け付ける（ステップＳ１１）。
【００６４】
図５では、共有する経路情報の表示例として、端末１０−１のユーザが旅行等により実際に出発地から目的地まで移動した後の経路情報の例が示されている。図５の例では、出発地５０１から経由地５０２を経由した目的地５０３までの経路５０４、出発地５０１を出発した、または出発予定の時刻５１１、経由地５０２を通過した、または通過予定の時刻５１２、目的地５０３に到着した、または到着予定の時刻５１３、ピン５２１、コメント５２２、画像５２３、及び共有ボタン５３０が表示されている。ピン５２１、コメント５２２、及び画像５２３は、それぞれ、出発地から目的地まで移動する前、移動中、または移動後において、端末１０−１のユーザ等により入力された、位置を示す情報、当該位置に関するユーザのコメント、当該位置に関する画像である。
【００６５】
ここで、端末１０−１の経路情報共有部１３は、当該経路情報を共有するユーザの範囲として、当該経路情報を共有するグループに含まれる各ユーザのＩＤの指定を受け付ける。または、端末１０−１の経路情報共有部１３は、ＳＮＳサーバ３０における当該経路情報を共有するグループのトークルーム（チャットルーム）の指定を受け付けてもよい。
【００６６】
続いて、端末１０−１の経路情報共有部１３は、当該経路情報、及び当該範囲のデータを含む経路共有要求をサーバ２０に送信する（ステップＳ１２）。
【００６７】
続いて、サーバ２０の共有部２６は、当該経路情報、及び当該経路情報を共有するユーザの範囲を、ＳＮＳサーバ３０に送信する（ステップＳ１３）。ここで、サーバ２０の共有部２６は、当該経路情報を共有するユーザの範囲として、ステップＳ１１で受け付けた当該経路を共有するグループに含まれる各ユーザのＩＤを、ＳＮＳサーバ３０上で管理される当該各ユーザのＩＤにそれぞれ変換して送信してもよい。この場合、サーバ２０には、サーバ２０にて管理するユーザのＩＤと、ＳＮＳサーバ３０にて管理される当該ユーザのＩＤの対応表が予め設定されていてもよい。
【００６８】
続いて、ＳＮＳサーバ３０は、当該経路を共有するグループに含まれる各ユーザの端末１０−２に、受信した経路情報を送信する（ステップＳ１４）。
【００６９】
続いて、共有先のユーザの端末１０−２のＳＮＳ利用部１４は、端末１０−１のユーザから指定されたグループのトークルーム画面において、ＳＮＳサーバ３０から受信した経路情報を表示する（ステップＳ１５）。
【００７０】
また、端末１０−２の経路情報共有部１３は、共有された経路情報において、ユーザからの操作により、経路上の位置に関連付けられたピン、コメント、画像等の追加や削除等の編集を行う。この場合、端末１０−２の経路情報共有部１３は、編集された経路情報をサーバ２０にアップロードし、端末１０−１にて共有できるようにする。なお、端末１０の経路情報共有部１３は、サーバ２０を介してＳＮＳサーバ３０に経路情報をアップロードする代わりに、ＳＮＳサーバ３０に直接アップロードしてもよい。
【００７１】
＜ユーザによる施設選択の変形例＞
上述した例では、ユーザにより、経由する各施設を選択できるようにする例について説明した。これに代えて、サーバ２０の施設検索部２３が推奨の施設を選択し、選択された施設を経由する経路を利用するか否かを、ユーザが選択できるようにしてもよい。
【００７２】
＜共有されたルート情報を利用する場合の変形例１＞
上述した例では、ユーザにより指定された目的地等を用いて、ルートを検索する例について説明した。これに代えて、ＳＮＳ等を用いて、ＳＮＳサーバ３０等から受信した他のユーザにより共有された経路情報を利用してもよい。
【００７３】
図６を参照して、実施形態に係る通信システム１における、共有されたルート情報を利用する場合の処理について説明する。図６は、実施形態に係る通信システム１の処理の一例を示すシーケンス図である。
【００７４】
ステップＳ２１において、端末１０−１のＳＮＳ利用部１４は、端末１０−１のユーザ以外のユーザにより共有された経路情報をＳＮＳサーバ３０から取得する。
【００７５】
続いて、端末１０−１の受付部１１は、共有された経路情報、及び出発日時等の設定をユーザから受け付ける（ステップＳ２２）。
【００７６】
続いて、端末１０−１の経路案内部１２は、共有された経路情報、及び出発日時等の設定データを含む経路検索要求をサーバ２０に送信する（ステップＳ２３）。これにより、サーバ２０の取得部２２により、目的地、出発地、及び出発日時等の設定データが取得される。ここで、共有された経路情報には、出発地から目的地までの経路、及び当該経路上の経由地等の情報が含まれる。これにより、サーバ２０の取得部２２は、当該共有された経路情報を端末１０−１から取得する。
【００７７】
続いて、サーバ２０の施設検索部２３は、当該共有された経路情報に含まれる経由地の施設データ２１１をコンテンツ提供サーバ４０から取得する（ステップＳ２４）。ここで、コンテンツ提供サーバ４０から取得する経由地の施設データ２１１には、後述するように、営業日時等のデータが含まれる。なお、各施設の営業日時等のデータは、コンテンツ提供サーバ４０からＳＮＳサーバ３０を介して端末１０により取得され、ステップＳ２２の経路検索要求に含めて端末１０からサーバ２０に送信されてもよい。
【００７８】
続いて、サーバ２０の施設検索部２３は、コンテンツ提供サーバ４０から取得した各施設の営業日時等のデータに基づいて、当該共有された経路情報に含まれる経由地の施設のうち、出発日時または当該施設への到着予想日時において利用可能でない施設については経由地から除外する（ステップＳ２５）。ここで、利用可能でない施設とは、例えば、時期や天気により推奨しない施設や、施設への到着予想日時において営業していない施設等である。サーバ２０の施設検索部２３は、例えば、当該共有された経路情報に含まれる各経由地について、後述する図８に示す施設検索処理のステップＳ１０２乃至ステップＳ１０７の処理を行い、算出されたスコアが所定の閾値以下の施設を、利用可能でない施設としてもよい。
【００７９】
ステップＳ２６乃至ステップＳ３２の処理は、上述した図４のステップＳ９乃至ステップＳ３２の処理と同様である。
【００８０】
なお、施設検索部２３は、除外した施設の代わりに、時期や天気により推奨する施設や、施設への到着予想日時において営業していない施設を追加してもよい。また、経路検索部２４は、出発地から目的地までの経路であって、施設検索部２３により除外された施設を経由しない経路を再検索し、表示制御部２５により再検索された経路情報を端末１０に表示させる。または、表示制御部２５は、施設検索部２３により、出発日時または施設への到着予想日時において利用可能でないため除外された経由地を、利用できない理由を示す情報を含む警告情報を付加して表示する、または所定の警告マークを付加して表示する等の警告表示をしてもよい。
【００８１】
また、表示制御部２５は、共有された経路情報に含まれる経由地の施設が、施設検索部２３により時期や天気により推奨されない場合や、施設への到着予想日時において営業していない場合、当該施設が推奨される時期や天気となる出発日時や、到着予想日時が営業日時に含まれるような出発日時の変更を促すメッセージを、端末１０に表示させてもよい。
【００８２】
＜共有されたルート情報を利用する場合の変形例２＞
上述した共有されたルート情報を利用する場合の変形例１では、ユーザにより指定された、共有された経路情報を利用する例について説明した。これに代えて、ＳＮＳ等で共有されている経路情報のうち、ユーザにより指定された目的地と合致する経路情報を、サーバ２０がＳＮＳサーバ３０等から受信して利用してもよい。
【００８３】
図７を参照して、実施形態に係る通信システム１における、共有されたルート情報を利用する場合の処理について説明する。図７は、実施形態に係る通信システム１の処理の一例を示すシーケンス図である。
【００８４】
ステップＳ４１乃至ステップＳ４２の処理は、上述した図４のステップＳ１乃至ステップＳ２の処理と同様である。
【００８５】
ステップＳ４３において、サーバ２０の施設検索部２３は、ステップＳ４２で取得した目的地と合致する、１以上の共有された経路情報を、ＳＮＳサーバ３０から取得する。ここで、サーバ２０の施設検索部２３は、ステップＳ４２で取得した目的地と、共有された経路情報に含まれる目的地との間の移動時間または移動距離が所定の閾値以下の場合、２つの目的地が合致すると判定してもよい。
【００８６】
続いて、サーバ２０の施設検索部２３は、当該共有された経路情報に含まれる経由地の施設データ２１１をコンテンツ提供サーバ４０から取得する（ステップＳ４４）。
【００８７】
ステップＳ４５乃至ステップＳ５２の処理は、上述した図６のステップＳ２５乃至ステップＳ３２の処理と同様である。または、サーバ２０の施設検索部２３は、１以上の共有された経路情報に含まれる１以上の経由地を除外する代わりに、１以上の共有された経路情報に含まれる１以上の経由地から、お勧めの施設を検索し、ユーザにより選択できるようにしてもよい。
【００８８】
≪施設検索処理≫
次に、図８、及び図９を参照し、上述したステップＳ３における、サーバ２０の施設検索部２３による、出発地から目的地までの間に経由できる１以上のお勧めの施設を検索する処理について説明する。図８は、実施形態に係るサーバ２０の施設検索処理の一例を示すフローチャートである。図９は、施設データ２１１の一例を示す図である。
【００８９】
ステップＳ１０１において、施設検索部２３は、施設データ２１１を参照し、出発地から目的地までの間に経由できる（出発地から目的地までの所定範囲内に存在する）１以上の施設を検索する。ここで、例えば、施設を経由した場合の目的地から出発地までの所要時間（移動時間）と、施設を経由しない場合の目的地から出発地までの所要時間との比が、所定の閾値以下である各施設を検索する。
【００９０】
施設データ２１１には、施設ＩＤ、施設名、位置、種別、推奨時期、営業日時、推奨天気／非推奨天気、及び初期スコアの項目が記録されている。
施設ＩＤは、施設の識別情報である。施設名は、施設の名称である。位置は、施設の緯度、経度等により示される位置である。種別は、施設の種別である。推奨時期は、施設への立ち寄りが推奨される時期（推奨の時期）である。営業日時は、施設の営業日時である。推奨天気は、施設への立ち寄りが推奨される天気（気象、天候）である。非推奨天気は、施設への立ち寄りが推奨されない天気である。初期スコアは、予め設定されているスコアの初期値である。サーバ２０は、施設データ２１１に含まれるデータの少なくとも一部を、コンテンツ提供サーバ４０から取得して記憶してもよい。
【００９１】
続いて、施設検索部２３は、ステップＳ１０１で検索した各施設のうち、以下のスコアを算出する処理の対象として未選択の一の施設を、処理対象として選択する（ステップＳ１０２）。なお、以下で、処理対象として選択された施設を「処理対象施設」と称する。
【００９２】
続いて、施設検索部２３は、施設データ２１１を参照し、処理対象施設に対応付けられた推奨時期と、現在日時とに基づいて、処理対象施設に対するスコアを変更する（ステップＳ１０３）。
【００９３】
ここで、例えば、現在日時が、処理対象施設に対応付けられた推奨時期に含まれる場合、処理対象施設に対するスコアを増加させる。また、現在日時が、処理対象施設に対応付けられた推奨時期に含まれない場合、処理対象施設に対するスコアを減少させる。図９の例では、例えば、出発日時が４月１６日の場合、施設の推奨時期に当該出発日時が含まれる施設ＩＤ「１０１」の施設に対しては、スコアが増加される。
【００９４】
続いて、施設検索部２３は、施設データ２１１を参照し、処理対象施設に対応付けられた営業日時と、処理対象施設への到着が予想される日時（到着予想日時）とに基づいて、処理対象施設に対するスコアを変更する（ステップＳ１０４）。なお、施設検索部２３は、経路検索部２４により処理対象施設への到着予想日時を算出させる。経路検索部２４は、道路の渋滞情報、ユーザの車両の排気量等の種別に基づいて到着予想日時を算出してもよい。
【００９５】
ここで、例えば、処理対象施設への到着予想日時が、処理対象施設の定休日ではなく、営業終了時間よりも所定時間以上早い場合に、処理対象施設のスコアが増加される。また、例えば、処理対象施設への到着予想日時が処理対象施設の定休日である場合、及び当該到着予想日時が営業終了時間よりも所定時間以上早くない場合に、処理対象施設のスコアが減少される。図９の例では、例えば、出発日時が火曜日の場合、火曜日が定休日である施設ＩＤ「１０２」の施設に対しては、スコアが減少される。
【００９６】
続いて、施設検索部２３は、施設データ２１１を参照し、処理対象施設に対応付けられた推奨天気と、処理対象施設への到着が予想される日時における処理対象施設の位置が含まれる地域の天気予報とに基づいて、処理対象施設に対するスコアを変更する（ステップＳ１０５）。ここで、天気予報による天気が推奨天気に含まれる場合、処理対象施設のスコアが増加される。また、天気予報による天気が非推奨天気に含まれる場合、処理対象施設のスコアが減少される。図９の例では、例えば、到着予想日時における当該地域の天気予報が「雨天」の場合、推奨天気に「全て」の天候が含まれる施設ＩＤ「１０５」の施設のスコアが増加される。これにより、例えば、雨天の場合は、全天候型の施設が推奨され易くなる。また、台風等の場合に利用不可となる海水浴場や川沿いのキャンプ場等の施設は、台風等の場合には推奨され難くなる。
【００９７】
続いて、施設検索部２３は、ユーザデータ２１２を参照し、ユーザの属性に基づいて、処理対象施設に対するスコアを変更する（ステップＳ１０６）。ここで、ユーザデータ２１２には、端末１０のユーザの性別、年齢、居住地域、車種、家族構成、移動履歴、目的地設定履歴等の項目のデータが含まれる。
【００９８】
車種は、ユーザが所有する車両の種別である。車種には、例えば、軽自動車、普通乗用車、大型自動車等が含まれてもよい。家族構成は、例えば、配偶者の有無、子供の人数等である。移動履歴は、ユーザが端末１０の経路案内部１２によるナビゲーション機能を利用しながら自動車の走行等により移動した履歴である。目的地設定履歴は、当該ナビゲーション機能を利用して設定した目的地の履歴である。施設検索部２３は、例えば、ｋ平均法（k-means clustering）を用いて、各ユーザの属性に基づいて、各ユーザを各クラスタに分類する。そして、各クラスタに属するユーザの移動履歴、目的地設定履歴、またはアンケート等に基づき、各クラスタに属するユーザが比較的多く行く施設、または評価が高い等の人気のある施設等を判定する。そして、処理対象施設が、一のユーザが属するクラスタにおいて人気のある施設である場合、処理対象施設に対するスコアを増加させてもよい。または、施設検索部２３は、例えば、ＡＩ（Artificial Intelligence）がディープラーニング等により機械学習したデータを用いて、ユーザにお勧めする処理対象施設に対するスコアを増加させてもよい。
【００９９】
続いて、施設検索部２３は、ステップＳ１０１で検索した各施設のうち、処理対象として未選択の施設が存在するか否かを判定する（ステップＳ１０７）。未選択の施設が存在する場合（ステップＳ１０７でＹＥＳ）、ステップＳ１０２の処理に進む。一方、未選択の施設が存在しない場合（ステップＳ１０７でＮＯ）、施設検索部２３は、ステップＳ１０１で検索した各施設のうち、スコアが高い順に所定数を選択し（ステップＳ１０８）、処理を終了する。これにより、条件に合致する施設を、経由地として選択できる。
【０１００】
＜施設検索処理の変形例１＞
施設検索部２３は、さらに、ユーザの車種（車両の種別）と、各施設の車両に関する付帯情報とに基づいて、処理対象施設に対するスコアを変更してもよい。この場合、例えば、施設データ２１１において、各施設の車両に関する付帯情報を記憶しておく。そして、施設検索部２３は、ユーザデータ２１２に記憶されているユーザの車種と、各施設の駐車場における駐車スペースの幅、または各施設に到着するまでに前記車両にて走行する道路の幅員とに基づいて、施設を検索する。この場合、施設検索部２３は、例えば、ユーザの車両が大型車両である場合に、大型車両用の駐車スペースを有する施設や、大型車両にて走行できる道路の幅員を有する施設を、経由地として選択してもよい。
【０１０１】
＜施設検索処理の変形例２＞
ＳＮＳ等を用いて、ＳＮＳサーバ３０等から受信した他のユーザにより共有された経路情報を利用して経路を検索する場合、施設検索部２３は、当該ＳＮＳの情報に基づいて、経由する施設を検索してもよい。この場合、施設検索部２３は、例えば、経路情報が共有されたグループチャットにおけるメッセージを解析し、当該グループチャットにおいてグループのメンバーから言及された施設のスコアを増加させてもよい。また、例えば、図５のように、共有される経路情報に含まれる経由地の施設において、当該施設の位置を示すピン、コメント、画像が入力されている場合、当該施設のスコアを増加させてもよい。
【０１０２】
以上、本発明の実施例について詳述したが、本発明は斯かる特定の実施形態に限定されるものではなく、特許請求の範囲に記載された本発明の要旨の範囲内において、種々の変形・変更が可能である。
【０１０３】
端末１０、及びサーバ２０の各機能部は、例えば１以上のコンピュータにより構成されるクラウドコンピューティングにより実現されていてもよい。また、端末１０、及びＳＮＳサーバ３０の各機能のうち少なくとも一部を、サーバ２０が有する構成としてもよい。また、サーバ２０の各機能部のうち少なくとも一部を、端末１０が有する構成としてもよい。
【０１０４】
なお、本実施の形態において、端末１０、及びサーバ２０は、情報処理装置の一例である。
【符号の説明】
【０１０５】
１  通信システム
１０  端末
１１  受付部
１２  経路案内部
１３  経路情報共有部
１４  ＳＮＳ利用部
１５  通信部
２０  サーバ
２１  記憶部
２１１  施設データ
２２  取得部
２３  施設検索部
２４  経路検索部
２５  表示制御部
２６  共有部
２７  通信部
３０  サーバ
４０  コンテンツ提供サーバ
【図１】
2019070530.tif 000003
【図２】
2019070530.tif 000004
【図３】
2019070530.tif 000005
【図４】
2019070530.tif 000006
【図５】
2019070530.tif 000007
【図６】
2019070530.tif 000008
【図７】
2019070530.tif 000009
【図８】
2019070530.tif 000010
【図９】
2019070530.tif 000011